(57)【要約】【課題】収納する高さを調整することができる収納具を提供する。【解決手段】収納具の側面に開口部を設け、その開口部に挿入パーツを組み込めるように構成し、挿入パーツは上下反転させた状態でも組み込めるように構成する。【選択図】図１
2005022392.tif 000002
【特許請求の範囲】
【請求項１】
上面が開口したケース本体と、ケースを仕切る仕切板と、仕切板とケース本体によって構成された任意の収納部の少なくとも一方の側壁部に底板上面位置から設けられた側面開口部と、側面開口部に挿入可能な上面が開口した箱状の挿入パーツとより構成され、前記挿入パーツは底面を上方にした状態で挿入可能となっていることを特徴とする収納具。
【請求項２】
側面開口部から上下２段式に挿入パーツを１あるいは２ヶ挿入するスライドストッパー機構を設けたことを特徴とする請求項１記載の収納具。
【発明の詳細な説明】
【発明の詳細な説明】
【技術分野】
【０００１】本発明は収納する高さを調整することができる収納具に関するものである。
【背景技術】
【０００２】収納の高さを調整する収納具として、上開口部から底あげ部材を落とし込むものがあった。
【発明が解決しようとする課題】
【０００３】収納の高さを調整するにあたり、底あげ部材を入れた状態から深くする場合、収納物をすべて取り出し、収納具を持ち上げ、ひっくり返して取り出す必要性があった。
【課題を解決するための手段】
【０００４】上面が開口したケース本体と、ケースを仕切る仕切板と、仕切板とケース本体によって構成された任意の収納部の少なくとも一方の側壁部に底板上面位置から設けられた側面開口部と、側面開口部に挿入可能な上面が開口した箱状の挿入パーツとより構成され、前記挿入パーツは底面を上方にした状態で挿入可能となっていることを特徴とする収納具。
【発明を実施するための最良の形態】
【０００５】  以下、本発明の実施の形態について、図１から図５を用いて説明する。
図１は本発明の分解斜視図、図２は本発明の外観図、図３は本発明の断面図、図４は本発明の断面図、図５は本発明の断面図である。【０００６】本発明は、本体ケース１と複数の挿入パーツ６とから構成されている。
図における事例において、本体ケース１は箱状となっており、底板２の周縁位置に４つの壁部板３が一体に構成されている。本体ケース１内部には２枚の仕切り板４ａ、４ｂが設けられていて、３つの収納部９を構成している。【０００７】  中央の収納部９ｂの壁部板３ｄには、底板２の位置から上方に方形の側面開口部１０ａが設けられている。仕切り板４ａ、４ｂには、前記側面開口部１０ａの中間位置から水平に対抗する位置に一対の凹型スライドストッパー５ａが設けられている。【０００８】  収納部９ｃの壁部板３ｄには、底板２の位置から上方に長方形の側面開口部１０ｂが設けられている。図においては、側面開口部１０ｂの高さは、前記前記側面開口部１０ａの２倍となっている。仕切り板４ｂ、壁部板３ｃには、凹型スライドストッパー５ｂ、５ｃがそれぞれ一対ずつ設けられている。凹型スライドストッパー５ｂは、前記凹型スライドストッパー５ａと同じ高さ位置であり、凹型スライドストッパー５ｃは、側面開口部１０ｂの３／４の高さ位置に設けられている。【０００９】  本発明は、側面開口部１０から挿入する２つの挿入パーツ６と１つの補助パーツ７を具備する。挿入パーツ６は底面を有し上面が開口状態になった箱状で、収納部９の底部形状とほぼ同形状となっており、側面に前記凹型スライドストッパー５に嵌りスライドする凸型スライドストッパー８を有している。補助パーツ７は、前記側面開口部１０ｂから上あるいは下に挿入した状態で側面開口部１０ｂの空いた空間からつながる収納空間と同形状のものとなっており、前記挿入パーツ６と同様に側面に凸型スライドストッパー８ｃを有している。補助パーツ７は上面と下面が開口し、側面のみで構成されている。
本発明は、以上の構成よりなっている。【００１０】  以下、本発明の使用方法を説明する。
本発明において、挿入パーツ６、補助パーツ７はそれぞれ挿入位置を替えられるようになっていると共に、上下反転させた状態でも同様に挿入できるようになっている。これを、収納物の高さにあわせて挿入方法を変えることで収納空間の高さを調整できるようになっている。【００１１】  図３に示す事例はすべての収納部を長い収納物ように設定したものである。挿入パーツ６ａ、６ｂがそれぞれ底面を下にした状態で、下位置に挿入されている。また、補助パーツ７は一方の挿入パーツ６ｂの上に配置されている。これにより、各収納部は上面開口部から底位置までの高さとなる。【００１２】  図４は収納部９ｃの収納高さを少し上げたものである。この際、図３と異なるのは、挿入パーツ６ｂが反転し、底面が上方にくる状態として挿入された点である。これにより、収納部９ｃの収納空間は挿入パーツ６ｂの底面によりさえぎられ、短くなった鉛筆などを収納するのに便利である。【００１３】図５に示す事例においては、各収納部の収納空間の高さを変えたものである。収納部９ａは従来の上面から底面までの一番高い収納空間となっている。収納部９ｂは、挿入パーツ６ａの底面を上にした状態で挿入されることにより、挿入パーツ１個分の長さが短い収納空間となっている。収納部９ｃにおいては、下に補助パーツ７が挿入されており、その上に挿入パーツ６ｂが挿入されている。この際、挿入パーツ６ｂの底面が上となるようになっている。これにより補助パーツと挿入パーツ分の長さ分収納空間が短くなっている。これにより、更に短いものや小さい物を収納した状態で取りやすくすることが可能となる。
このように、収納物に対して挿入パーツ６、補助パーツ７の挿入方法を調整することで、適した収納空間を得ることが可能となる。【００１４】  上記事例における説明としては、３つの収納空間を利用して、挿入パーツ１個分の開口部と、２個分の開口部を用いたもので説明したが、これに限定されるものではなく、基本単位の大きさで更に複数の組み合わせが可能であるし、互換性に関しても、すべて互換できるものもあれば、一部で互換性の有るものなど、各種組み合わせが可能となる。【００１５】  次に、本発明の第二実施形態について、図６から図９を用いて説明する。
図６は本発明の第二実施形態の分解斜視図、図７は本発明の第二実施形態の外観図、図８は本発明の第二実施形態の断面図、図９は本発明の第二実施形態の断面図である。【００１６】  本発明の第二実施形態は、前記の本発明の第二実施形態を発展させたもので、異なるのは、本体ケース１においては、１つの収納空間を仕切板４ｃにより、収納部９ｃ、９ｄを構成した点と、挿入パーツにおいては、ひとつの挿入パーツのかわりに２つの挿入パーツ６ｂ、６ｃを設け、補助パーツにおいては、ひとつの補助パーツのかわりに７ａ、７ｂを設けた点である。【００１７】  仕切板４ｃは仕切板４ｂ、壁部板３ｃに直角に接しており、壁部板３ｂからの仕切板４ｃまでの距離と、壁部板３ｄから仕切版４ｃまでの距離は同じであり、仕切板４ｃの上端の高さは仕切板４ａ、４ｂ、壁部板３と同じだが、仕切板４ｃの下端の高さは、側面開口部１０ｂの上端の高さと同じで、底板には接していない。【００１８】  挿入パーツ６ｂ、６ｃは同形で、底面を有し、上面が開口状態になった箱状で、外形は挿入パーツ６ａを側面１１ａと側面１１ｂとの中間位置で垂直に分割した形と同形であり、挿入パーツ６ｂはその側面に一対の凸型スライドストッパー８ｂを有している。挿入パーツ６ｃはその側面に一対の凸型スライドストッパー８ｃを有している。補助パーツ７ａ、７ｂは上面と下面が開口し、側面のみで構成され、外形は挿入パーツ６ｂ、６ｃと同形である。補助パーツ７ａはその側面の一対の凸型スライドストッパー８ｄを、補助パーツ７ｂはその側面に一対の凸型スライドスットパー８ｅを有している。本発明の第二実施形態は以上の構成よりなっている。【００１９】  以下、使用方法を説明する。
本発明の第二実施形態において、挿入パーツ６と補助パーツ７は側面開口部１０ｂより挿入するとき、それぞれ挿入位置を替えられるようになっていると共に、上下を反転させた状態でも同様に挿入できるようになっている。
また、挿入パーツ６ｂ、６ｃと補助パーツ７ａ、７ｂは、それぞれ凸型スライドストッパーのついていない側面同士が接するように２ヶ並べた状態で側面開口部１０ｂより２対のパーツを上段、下段それぞれに挿入することによって前記の接している側面が、仕切版４ｃの下端より下方の空間を仕切ることになる。これによって収納部９ｃ、９ｄの空間が仕切板４ｃの下方部分でつながっていたものが、仕切板４ｃの位置で底板まで分割される。
この分割によって、収納部９ｃ、９ｄは異なる底面の高さを調整できるようになる。【００２０】  図８に示す事例は、収納部９ｃ、９ｄを共に長い収納物用に設定したものである。収納部９ｂの壁部板３ｂの下方には、側面開口部１０ａと同形の開口部が設けられ、収納部９ｄの壁部板３ｂの下方には、側面開口部１０ｂと同形の開口部が設けられている。挿入パーツ６ｂ、６ｃがそれぞれ底面下にした状態で側面開口部１０ｂの下位置に挿入されている。また補助パーツ７ａ、７ｂは挿入パーツ６ｂ、６ｃの上に配置されている。これにより収納部９ｃ、９ｄは底板位置から上面開口部までの高さとなる。【００２１】  図９は収納部９ｃの底の高さを少し上げたものである。この際、図８と異なるのは挿入パーツ６ｂと補助パーツ７ａが上下入れ替わったことである。収納部９ｃの収納空間は挿入パーツ６ｂの底面によりさえぎられ、より短い収納物を収納するのに便利になった。
また、図９は収納部９ｄの収納の高さを上げていることも示している。図８と異なるのは、挿入パーツ６ｃと補助パーツ７ｃの位置が上下入れ替わったことと共に、挿入パーツ６ｃが上下反転し、底面が上方にくる状態として、挿入された点である。
これにより収納部９ｄの収納空間は挿入パーツ６ｃの底面にさえぎられ、より短い収納物を収納するのに便利である。【００２２】  このように収納部をさらに垂直に分割し、同時に挿入パーツと補助パーツを分割することによって、より細やかな調整パターンを得ることが可能になる。
【図面の簡単な説明】
【図１】本発明の分解斜視図
【図２】本発明の外観図
【図３】本発明の断面図
【図４】本発明の断面図
【図５】本発明の断面図
【図６】本発明の第二実施形態の分解斜視図
【図７】本発明の第二実施形態の外観図
【図８】本発明の第二実施形態の断面図
【図９】本発明の第二実施形態の断面図
【符号の説明】
１  本体ケース
２  底板
３；３ａ；３ｂ；３ｃ；３ｄ  壁部板
４；４ａ；４ｂ；４ｃ  仕切板
５；５ａ；５ｂ；５ｃ  凹型スライドスットパー
６；６ａ６ｂ；６ｃ  挿入パーツ
７；７ａ；７ｂ  補助パーツ
８；８ａ；８ｂ；８ｃ；８ｄ；８ｅ  凸型スライドストッパー
９；９ａ；９ｂ；９ｃ；９ｄ  収納部
１０；１０ａ；１０ｂ  側面開口部
１１；１１ａ；１１ｂ  挿入パーツ側面
【図１】
2005022392.tif 000003
【図２】
2005022392.tif 000004
【図３】
2005022392.tif 000005
【図４】
2005022392.tif 000006
【図５】
2005022392.tif 000007
【図６】
2005022392.tif 000008
【図７】
2005022392.tif 000009
【図８】
2005022392.tif 000010
【図９】
2005022392.tif 000011